(57)【要約】【課題】おにぎりを包装した状態において、おにぎり包装材の側縁部が重なる部分においてもスムーズに引き裂くことが可能なおにぎり包装材を提供する。【解決手段】おにぎりに被せるシート状食品を収容する外フィルムと内フィルムとを有する袋状のおにぎり包装材であって、前記おにぎり包装材で前記おにぎりを包装したおにぎり包装体を開封する際、前記外フィルムに設けられた引き裂き部を引き裂くことによって、前記おにぎり包装材を左右に分断し、分断した左右の前記おにぎり包装材を引き裂くことによって前記おにぎりに前記シート状食品が被さった状態にすることができるおにぎり包装材において、おにぎり包装材の引き裂き開始側における端部側の左右側縁部の少なくとも一方に、おにぎり包装材の側縁から上縁側に向けて引き裂き案内線が設けられている。【選択図】図１
2015199539.tif 000002
【特許請求の範囲】
【請求項１】
おにぎりに被せるシート状食品を収容する外フィルムと内フィルムとを有する袋状のおにぎり包装材であって、前記おにぎり包装材でおにぎりを包装したおにぎり包装体を開封する際、前記外フィルムに設けられた引き裂き部を引き裂くことによって、前記おにぎり包装材を左右に分断し、分断した左右の前記おにぎり包装材を引き裂くことによっておにぎりに前記シート状食品が被さった状態にすることができるおにぎり包装材において、
おにぎり包装材の引き裂き開始側における端部側の左右側縁部の少なくとも一方に、おにぎり包装材の側縁から上縁側に向けて傾斜する引き裂き案内線が設けられているおにぎり包装材。
【請求項２】
おにぎりに被せるシート状食品を収容する外フィルムと内フィルムとを有する袋状のおにぎり包装材であって、前記おにぎり包装材で前記おにぎりを包装したおにぎり包装体を開封する際、前記外フィルムに設けられた引き裂き部を引き裂くことによって、前記おにぎり包装材を左右に分断し、分断した左右の前記おにぎり包装材を引き裂くことによっておにぎりに前記シート状食品が被さった状態にすることができるおにぎり包装材において、
おにぎり包装材の引き裂き開始側における端部側の左右側縁部の少なくとも一方に、おにぎり包装材の側縁から離間した位置から、内側に向けて引き裂き案内線が設けられているおにぎり包装材。
【請求項３】
前記引き裂き案内線は、おにぎりが包装されたおにぎり包装体の背面側の引き裂き部と略平行になるように設けられている請求項１又は請求項２に記載のおにぎり包装材。
【請求項４】
前記引き裂き案内線は、おにぎりが包装されたおにぎり包装体の背面側の引き裂き部の近傍に、おにぎり包装体の頂部に向かって傾斜するように設けられている請求項１又は請求項２に記載のおにぎり包装材。
【請求項５】
前記おにぎり包装材の引き裂き開始側における端部側の右側には右切欠き部が設けられ、左側には左切欠き部が設けられており、前記右切欠き部を構成するおにぎり包装材の前記右側縁部と、前記左切欠き部を構成する包装材の前記左側縁部と、にそれぞれ前記引き裂き案内線が設けられている請求項１から請求項４のいずれかに記載のおにぎり包装材。
【請求項６】
前記右切欠き部は、前記おにぎり包装材の引き裂き開始側の上縁右端から略垂直下方に延びる右第１切欠き縁と、右第１切欠き縁の下端から右斜め下方に延びる右第２切欠き縁によって形成され、前記左切欠き部は、前記おにぎり包装材の引き裂き開始側の上縁左端から略垂直下方に延びる左第１切欠き縁と、左第１切欠き縁の下端から左斜め下方に延びる左第２切欠き縁よって形成されており、
前記引き裂き案内線が、前記右第１切欠き縁、前記右第２切欠き縁、前記左第１切欠き縁及び前記左第２切欠き縁の各切欠き縁部にそれぞれ設けられている請求項５に記載のおにぎり包装材。
【請求項７】
前記おにぎり包装材の収容部にシート状食品が収容されている請求項１から請求項６のいずれかに記載のおにぎり包装材。
【請求項８】
請求項７のおにぎり包装材によって、おにぎりが包装されたおにぎり包装体。
【発明の詳細な説明】
【技術分野】
【０００１】
本発明は、おにぎりとおにぎりに被せるシート状食品を互いに隔離した状態で包装するおにぎり包装材に関するものである。
【背景技術】
【０００２】
従来より、おにぎりに被せるシート状食品を収容する外フィルムと内フィルムとを有する袋状のおにぎり包装材であって、前記おにぎり包装材で前記おにぎりを包装したおにぎり包装体を開封する際、前記外フィルムに設けられた引き裂き部を引き裂くことによって、前記おにぎり包装材を左右に分断し、分断した左右の前記おにぎり包装材を引き裂くことによって前記おにぎりに前記シート状食品が被さった状態にすることができるおにぎり包装材に包装されたおにぎり包装体として、例えば、特許文献１のようなおにぎり包装体が存在する。
【０００３】
このおにぎり包装体は、にぎり飯に沿うように曲げられた包装材の端部及び引き裂き部に重なるようにラベルを包装材に接着しており、開封時にラベルが引き裂き部に接着したまま包装材から剥がれる構成のもので、開封時に特定の箇所に負担がかからず、シート状食品が折り目で割れることが防止されるというものである。
【先行技術文献】
【特許文献】
【０００４】
【特許文献１】特開２０１０−２１５２９２号公報
【発明の概要】
【発明が解決しようとする課題】
【０００５】
しかしながら、このようなおにぎり包装体では、おにぎり包装体の背面側における引き裂き部及び引き裂き部近傍に、おにぎり包装材の引き裂き開始側の右側縁部及び左側縁部が重なって配置される。そのため、引き裂き部を引き裂いておにぎり包装体を開封する際、当該箇所に引き裂き部が差し掛かると、右側縁部及び左側縁部に引き裂き部が引っ掛かり、スムーズに引き裂くことができなかった。
【０００６】
本発明は、上記課題に鑑みてなされたものであって、その目的とするところは、おにぎりを包装した状態において、おにぎり包装材の側縁部が重なる部分においてもスムーズに引き裂くことが可能なおにぎり包装材を提供することにある。
【課題を解決するための手段】
【０００７】
前記目的を達成するために、本発明に係るおにぎり包装材は、おにぎりに被せるシート状食品を収容する外フィルムと内フィルムとを有する袋状のおにぎり包装材であって、前記おにぎり包装材でおにぎりを包装したおにぎり包装体を開封する際、前記外フィルムに設けられた引き裂き部を引き裂くことによって、前記おにぎり包装材を左右に分断し、分断した左右の前記おにぎり包装材を引き裂くことによっておにぎりに前記シート状食品が被さった状態にすることができるおにぎり包装材において、おにぎり包装材の引き裂き開始側における端部側の左右側縁部の少なくとも一方に、おにぎり包装材の側縁から上縁側に向けて傾斜する引き裂き案内線が設けられている。
【０００８】
また、本発明に係るおにぎり包装材は、おにぎりに被せるシート状食品を収容する外フィルムと内フィルムとを有する袋状のおにぎり包装材であって、前記おにぎり包装材で前記おにぎりを包装したおにぎり包装体を開封する際、前記外フィルムに設けられた引き裂き部を引き裂くことによって、前記おにぎり包装材を左右に分断し、分断した左右の前記おにぎり包装材を引き裂くことによっておにぎりに前記シート状食品が被さった状態にすることができるおにぎり包装材において、おにぎり包装材の引き裂き開始側における端部側の左右側縁部の少なくとも一方に、おにぎり包装材の側縁から離間した位置から、内側に向けて引き裂き案内線が設けられている。
【０００９】
前記引き裂き案内線は、おにぎりが包装されたおにぎり包装体の背面側の引き裂き部と略平行になるように設けることができる。
【００１０】
前記引き裂き案内線は、おにぎりが包装されたおにぎり包装体の背面側の引き裂き部の近傍に、おにぎり包装体の頂部に向かって傾斜するように設けることができる。
【００１１】
前記おにぎり包装材の引き裂き開始側における端部側の右側には右切欠き部が設けられ、左側には左切欠き部が設けられており、前記右切欠き部を構成する包装材の前記右側縁部と、前記左切欠き部を構成する包装材の前記左側縁部と、にそれぞれ前記引き裂き案内線を設けることができる。
【００１２】
前記右切欠き部は、前記おにぎり包装材の引き裂き開始側の上縁右端から略垂直下方に延びる右第１切欠き縁と、右第１切欠き縁の下端から右斜め下方に延びる右第２切欠き縁によって形成され、前記左切欠き部は、前記おにぎり包装材の引き裂き開始側の上縁左端から略垂直下方に延びる左第１切欠き縁と、左第１切欠き縁の下端から左斜め下方に延びる左第２切欠き縁よって形成されており、前記引き裂き案内線が、前記右第１切欠き縁、前記右第２切欠き縁、前記左第１切欠き縁及び前記左第２切欠き縁の各切欠き縁部にそれぞれ設けることができる。
【００１３】
前記おにぎり包装材の収容部にシート状食品が収容されているおにぎり包装材とすることができる。
【００１４】
おにぎり包装材によって、おにぎりが包装されたおにぎり包装体とすることができる。
【発明の効果】
【００１５】
このように、本発明に係るおにぎり包装材によれば、おにぎりを包装した状態において、おにぎり包装材の側縁部が重なる部分においてもスムーズに引き裂くことが可能となる。
【図面の簡単な説明】
【００１６】
【図１】本発明の一実施形態に係るおにぎり包装材にシート状食品が収容された状態の平面図である。
【図２】本発明の一実施形態に係るおにぎり包装材にシート状食品が収容された状態の底面図である。
【図３】本発明の一実施形態に係るおにぎり包装材でおにぎりを包装した状態における引き裂き案内線の位置を示す説明図である。
【図４】本発明の一実施形態に係るおにぎり包装材にシート状食品が収容された状態でおにぎりを包装する工程の一部を示す説明図である。
【図５】本発明の一実施形態に係るおにぎり包装体の背面側の斜視図である。
【図６】本発明の一実施形態に係るおにぎり包装体の表面側の斜視図である。
【図７】本発明の一実施形態に係るおにぎり包装体の開封方法を示す説明図である。
【図８】本発明の別実施形態に係るおにぎり包装材にシート状食品が収容された状態の平面図である。
【図９】本発明の別実施形態に係るおにぎり包装材でおにぎりを包装した状態における引き裂き案内線の位置を示す説明図である。
【図１０】本発明の一実施形態に係るおにぎり包装材の側縁から離間する位置から引き裂き案内線を設けた場合の部分拡大図。
【図１１】本発明の別実施形態に係るおにぎり包装材の側縁から離間する位置から引き裂き案内線を設けた場合の部分拡大図。
【発明を実施するための形態】
【００１７】
以下、本発明に係る実施形態を図面に従って説明するが、本発明はこの実施形態に限定されるものではない。
【００１８】
図１は、本発明の一実施形態に係るおにぎり包装材１（以下、「包装材」という。）に、シート状食品７が収容された状態の平面図（包装材１の外フィルム１１面側の平面図）である。図２は、本発明の一実施形態に係る包装材１にシート状食品７を収容した状態の底面図（包装材１の内フィルム１２面側の平面図）である。なお、本明細書において、包装材１の引き裂き開始側を上側、引き裂き終了側を下側とする。
【００１９】
本実施形態に係る包装材１は、おにぎり８に被せるシート状食品７を収容する外フィルム１１と内フィルム１２とを有する袋状の包装材１であって、包装材１でおにぎり８を包装したおにぎり包装体６を開封するとき、外フィルム１１に形成された引き裂き部２を引き裂くことによって、包装材１を左右に分断し、分断した左右の包装材１をそれぞれ引っ張って取り去ることにより、おにぎり８にシート状食品７が被さった状態にできるものである。
【００２０】
この包装材１に包まれるおにぎり８は、略三角形の表面、裏面、左右の傾斜面、底面とからなる略三角形状のものであるが、大きさ、米の種類、味付け等は特に限定されない。
【００２１】
シート状食品７は、この実施形態においては海苔を使用しているが、例えば、ゼラチンでシート状に形成された昆布や鰹節、薄焼き卵等、シート状に形成された食品であればよく、特に限定されない。シート状食品７の左右の方向（短手方向）の幅は、おにぎり８の底面の一辺の長さと略同じかやや長く、上下方向（長手方向）の長さは、おにぎり８の表面、底面及び裏面を覆う長さである。
【００２２】
包装材１は、図１及び図２に示すように、略長方形状の外フィルム１１と、外フィルム１１の左右方向略中央（短手方向の略中央）で端部が重合するように配され、外フィルム１１と上縁１３近傍、下縁１４近傍、左側縁１５及び右側縁１６の所定箇所がヒートシール１７された２枚の略長方形状の内フィルム１２とから構成される袋状であり、この袋状部分がシート状食品７の収容部１８となる。包装材１の四隅にはそれぞれ切欠き部４，５が設けられている。
【００２３】
外フィルム１１は２軸延伸ポリプロピレン（ＯＰＰフィルム）等の合成樹脂製の耐水性、防湿性の高いフィルムを使用することが好ましい。
【００２４】
図１に示すように、外フィルム１１の上縁１３の略中央から下縁１４の略中央にわたって帯状の引き裂き部２が設けられている。具体的には、外フィルム１１の上縁１３略中央から下縁１４の略中央に亘って、２本のカットテープ２１が向かい合うように配置されており、この２本のカットテープ２１の両外縁間が引き裂き部２となる。カットテープ２１は、外フィルム１１の裏面にヒートシールすることにより固着されている。
【００２５】
本実施形態における引き裂き部２は、２本のカットテープ２１を平行に配置させ、引き裂き部の幅Ｗが均一な構成としているが、引き裂き部の幅Ｗが不均一な構成としても良い。例えば、引き裂き部の幅Ｗが、長手方向中央が最大幅となるような引き裂き部２としてもよい。つまり、包装材１の上縁１３から中央に向けて引き裂き部の幅Ｗが次第に広くなり、中央から下縁１４に向けて引き裂き部の幅Ｗが次第に狭くなる構成等としてもよい。また、引き裂き部２は、上記構成に限られず、例えば、幅広のカットテープ２１１本を外フィルム１１の裏面に固着し、この幅広のカットテープ２１自体を引き裂き部２とすることもできる。
【００２６】
外フィルム１１の上縁側（引き裂き開始側）の引き裂き部２の左右には、それぞれ上縁１３から下縁側に向けて切込み２２が設けられており、この切込み２２間が摘み片２３となる。同様に、外側フィルムの下縁側にも摘み片２３が設けられている。なお、摘み片２３は、引き裂き部２の上縁側のみに設けてもよい。
【００２７】
図１に示すように、包装材１の引き裂き開始側における端部側（上縁側）の左右側縁部Ｓ１，Ｓ２には、それぞれ引き裂き案内線３が設けられている。なお、包装材１の引き裂き開始側における端部側（上縁側）の左右側縁部Ｓ１，Ｓ２のいずれか一方にのみ引き裂き案内線３を設ける構成としてもよい。
【００２８】
この実施形態では、引き裂き案内線３は切断線であるが、弱め線とすることもできる。ここで弱め線とは、他の領域よりも接続が弱い線を意味し、例えば、ミシン目、ハーフカット等のように、分離しやすいように加工されている線である。
【００２９】
引き裂き案内線３は、図１及び図２に示すように、包装材１の左右の側縁（１５，１６）から、それぞれ内側に向けて設けることもできるし、図１０に示すように、包装材１の左右の側縁（１５，１６）から離間した位置から、それぞれ内側に向けて設けることもできる。また、例えば、一方の側縁部Ｓには、側縁から内側に向けて引き裂き案内線３を設け、他方の側縁部Ｓには、側縁から離間した位置から引き裂き案内線を設ける構成としてもよい（図示しない）。また、例えば、側縁部Ｓに、側縁から内側に向けた引き裂き案内線３と、側縁から離間した位置から内側に向けた引き裂き案内線３と、を交互に設ける等混在させてもよい（図示しない）。右側縁部Ｓ１に設けられた引き裂き案内線３は、右側縁に対して、上縁１３側に向けて傾斜しており、左側縁部Ｓ２に設けられた引き裂き案内線３は、左側縁に対して、上縁１３側に向けて傾斜している。引き裂き案内線３は、複数本設けられていることが好ましい。
【００３０】
引き裂き案内線３を、包装材１の側縁１５，１６から離間した位置から設ける場合、後述するように、おにぎり包装体６を開封する際、引き裂き部２を引き裂き方向に引っ張ることにより、この離間部分の包装材１を引きちぎって、引き裂き案内線３まで到達する必要がある。したがって、側縁１５，１６と引き裂き案内線３との離間距離は１．５ｍｍ以下が好ましく、１．０ｍｍ以下がさらに好ましい。
【００３１】
このように、引き裂き案内線３を包装材１の側縁１５，１６から離間した位置から設けた場合、おにぎり８を包装するときや、おにぎり包装体６を運搬、陳列等するときに、意図せず包装材１が破れることを防ぐことができる。また、後述するように、おにぎり８を包装するときに、左右の側縁部Ｓ１，Ｓ２にシール等を貼着させて固定する際、体裁よく固定することができる。
【００３２】
図３に示すように、引き裂き案内線３は、おにぎり８を包装した状態において、おにぎり包装体６の背面側の引き裂き部２近傍に位置し、おにぎり包装体６の下方から上方に向かうように設けられている。引き裂き案内線３は、おにぎり８を包装した状態において、おにぎり包装体６の背面側の引き裂き部２と略平行に位置するか、おにぎり包装体６の頂部側に向かって傾斜するように設けられていることが好ましい。
【００３３】
図１に示すように、本実施形態では、包装材１の引き裂き開始側における端部側（上縁側）の右側には、右切欠き部５が設けられ、左側には、左切欠き部４が設けられている。この右切欠き部５を構成する包装材１の右側縁部Ｓ１と、左切欠き部４を構成する包装材１の左側縁部Ｓ２とにそれぞれ引き裂き案内線３が設けられている。
【００３４】
右切欠き部５は、包装材１の引き裂き開始側の上縁１３右端から略垂直下方に延びる右第１切欠き縁５１と、右第１切欠き縁５１の下端から右斜め下方に延びる右第２切欠き縁５２によって形成されている。左切欠き部４は、包装材１の引き裂き開始側の上縁１３左端から略垂直下方に延びる左第１切欠き縁４１と、左第１切欠き縁４１の下端から左斜め下方に延びる左第２切欠き縁４２よって形成されている。なお、切欠き部４，５の形状は、上述した切欠き縁からなる構成に限られず種々の形状の切欠き部４，５とすることができる。この切欠き部４，５を設けることで、側縁部Ｓが重なる位置がおにぎり包装体６の背面側上方に位置する（引き裂き終端側）ため、引き裂き終端近傍まで引き裂き部２をスムーズに引き裂くことができ好ましいが、切欠き部４，５を設けない構成とすることもできる。
【００３５】
図１及び図２に示すように、右側縁部Ｓ１には、右第１切欠き縁５１から上縁１３側に向けて傾斜する直線状の引き裂き案内線３が複数本設けられており、互いに間隙を有して平行に配されている。同様に、左側縁部Ｓ２には、左第１切欠き縁４１から上縁１３側に向けて傾斜する直線状の引き裂き案内線３が複数本設けられており、互いに間隙を有して平行に配されている。
【００３６】
また、図１０に示すように、右第１切欠き縁５１から離間する位置から、内側に向けて引き裂き案内線３を設けてもよい。同様に、左第１切欠き縁４１から離間する位置から、内側に向けて引き裂き案内線３を設けてもよい。つまり、引き裂き案内線３は、上縁１３側に向けて傾斜するように設けてもよいし、左右の第１切欠き縁４１，５１に対して垂直になるように設けてもよいし、下縁１４側に向けて傾斜するように設けてもよい。
【００３７】
図１０に示すように、右第１切欠き縁５１から離間する位置から、上縁１３側に向けて傾斜する直線状の引き裂き案内線３を複数本設け、これらが互いに間隙を有して平行に配されるように設けることが好ましい。同様に、左第１切欠き縁４１から離間する位置から、上縁１３側に向けて傾斜する直線状の引き裂き案内線３を複数本設け、これらが互いに間隙を有して平行に配されるように設けることが好ましい。
【００３８】
次に、本実施形態に係る包装材１でおにぎり８を包装しておにぎり包装体６を完成させる工程について説明する。
【００３９】
まず、図４に示すように、収容部１８にシート状食品７を収容した状態の包装材１の内フィルム１２側を上側にして、包装材１の上縁側におにぎり８の三角形状の表面側が接するように載置する。次いで、包装材１の下縁側を持ち上げ、おにぎり８の底面付近で折り曲げて、おにぎり８の裏面側と包装材１の内フィルム１２とが接するようにして包装材１をおにぎり８に被せる。次いで、包装材１の下縁側の左右の側縁部Ｓ１，Ｓ２を、おにぎり８の左右の傾斜面にそれぞれ折り込む。次いで、図５に示すように、包装材１の上縁側の左右の側縁部Ｓ１，Ｓ２をおにぎり８の左右の傾斜面にそれぞれ折り込んで左右の側縁部Ｓ１，Ｓ２をおにぎり包装体６の背面側で重ね合わせる。次いで、ラベル等の接続部材９で固定し、おにぎり包装体６が完成する。具体的には、包装材１の上縁側の右側縁部Ｓ１から左側縁部Ｓ２にわたってシールで固定しているが、意図せずおにぎり包装体６が開封されず、引き裂き部２を容易に引き裂くことが可能であれば固定の仕方は特に限定されない。なお、包装材１でおにぎり８を包装しておにぎり包装体６を完成させる工程は、上述した工程に限られず、例えば、図５に示すおにぎり包装体６は、背面側の包装材１に対して、左側縁部Ｓ２、右側縁部Ｓ１の順で重なって固定されているが、右側縁部Ｓ１、左側縁部Ｓ２の順に重なって固定してもよい。
【００４０】
このようにして包装されたおにぎり包装体６の表面側には、図６に示すように、引き裂き部２を引き裂くための摘み片２３が略中央上端に配される。おにぎり包装体６の背面側は、図３（接続部材９は省略）及び図５に示すように、おにぎり包装体６の上方側で、右側縁部Ｓ１、左側縁部Ｓ２または左右の側縁部Ｓ１，Ｓ２が重なって配置される。なお、本明細書において、おにぎり包装体６の引き裂き開始側を表面側とし、引き裂き終了側を背面側とする。また、図３における上側の頂点部分（引き裂き開始側及び引き裂き終了側の頂点部分）を「頂部」という。
【００４１】
左第１切欠き縁４１は引き裂き部２を横切り、左第２切欠き縁４２は引き裂き部２の外側であって、おにぎり包装体６の頂部側に向けて傾斜するように配される。また、右第１切欠き縁５１は引き裂き部２を横切り、右第２切欠き縁５２は引き裂き部２の外側であって、おにぎり包装体６の頂部側に向けて傾斜するように配される。つまり、左第１切欠き縁４１と右第１切欠き縁５１とは、引き裂き部上で交差し、左第２切欠き縁４２と右第２切欠き縁５２とは、引き裂き部２を間に位置させた状態でハの字状に配される。
【００４２】
図３に示すように、左第１切欠き縁４１の両端がいずれも引き裂き部２幅方向外側に位置し、少なくとも引き裂き部の幅Ｗ方向外側に引き裂き案内線３が設けられている。この引き裂き案内線３は、同様に、右第１切欠き縁５１の両端がいずれも引き裂き部２幅方向外側に位置し、少なくとも引き裂き部の幅Ｗ方向外側に引き裂き案内線３が設けられている。
【００４３】
図３及び図５に示すように、右第１切欠き縁５１の引き裂き部の幅Ｗ方向に沿った長さ（以下「第１幅方向長さＬ１」という。）と、左第１切欠き縁４１の引き裂き部の幅Ｗ方向に沿った長さ（以下、「第２幅方向長さＬ２」という。）は、引き裂き部の幅Ｗよりも長く形成されている。実際に引き裂き部２を引き裂いて、おにぎり包装体６を開封する場合、実際に引き裂かれる部分の開口幅は、引き裂き部の幅Ｗ（両カットテープ２１の両外縁間）より小さくなることはないが、例えば、引き裂き部２の上面にシール等が貼着されていた場合や、引き裂き部２を引っ張る方向、引き裂き部２を引っ張る力の大小によっては、引き裂き部の幅Ｗよりも広くなる場合がある。したがって、第１幅方向長さＬ１と、第２幅方向長さＬ２は、実際に引き裂かれる部分の最大予想開口幅よりも長く形成されると共に、右第１切欠き縁５１と左第１切欠き縁４１とに、所定の間隔を空けて、複数の引き裂き案内線３が設けられていることが好ましい。
【００４４】
引き裂き案内線３は、引き裂き部２に誘導されて、包装材１を引き裂き方向に案内可能であって、包装時、運搬時、陳列時等に、意図せず包装材１が引き裂かれることがない程度の長さを有していればよく、例えば、２．０ｍｍから４．０ｍｍ程度の長さが好ましい。また、引き裂き案内線３は、収容部１８内に達しない長さであることが好ましい。隣り合う引き裂き案内線３どうしの間隙は２．０ｍｍから４．０ｍｍ程度が好ましい。また、引き裂き案内線３を、左右の第１切欠き縁の全長に亘って等間隔で複数設けておけば、包装の際左右の第１切欠き縁の位置が多少ずれても、引き裂き案内線３が所望の位置に配置される。
【００４５】
次に、おにぎり包装体６を開封する方法について説明する。
【００４６】
図７に示すように、おにぎり包装体６の表面側の摘み部を摘まんで引き裂き部２を引き裂き方向に引き裂き、背面側の側縁部Ｓが重なる部分に差し掛かったとき、実際に引き裂かれる箇所の近傍に位置する引き裂き案内線３に案内され、スムーズに開封することができる。したがって、側縁部Ｓが重なる部分を引き裂く際の負担が軽減されるため、シート状食品７を破損させずに、おにぎり８に被せることが可能となる。
【００４７】
また、引き裂き案内線を、右第１切欠き縁、右第２切欠き縁、左第１切欠き縁及び左第２切欠き縁の各切欠き縁部にそれぞれ設けることができる。つまり、図８に示すように、左右の第２切欠き縁４２，５２にも引き裂き案内線３を設ける構成とすることができる。具体的には、左右の第２切欠き縁４２，５２から、それぞれ上縁１３側に向けて傾斜する直線状の引き裂き案内線３を複数本設け、これらが互いに間隙を有して平行に配されるように設けられている。この包装材１でおにぎり８を包装したおにぎり包装体６は、図９に示すように、左右の第２切欠き縁に、それぞれおにぎり包装体６の下方から上方に向かう引き裂き案内線３が複数設けられる。この引き裂き案内線３は、引き裂き部２と略平行又はおにぎり包装体６の頂部側に向けて傾斜していることが好ましい。また、図１１に示すように、左右の第２切欠き縁４２，５２から離間する位置から、それぞれ引き裂き案内線３を設ける構成とすることもできる。
【００４８】
図９に示すように、左右の第２切欠き縁に設けられた引き裂き案内線３の少なくとも一部に、ラベル等の接続部材９が貼着されている場合。この接続部材９が貼着されている部分を、引き裂き部２によって引き裂くとき、引き裂かれる部分の開口幅が広がる場合がある。このような場合であっても、左右の第２切欠き縁４２，５２から、又は、左右の第２切欠き縁４２，５２から離間する位置から、それぞれ引き裂き案内線３が設けられていることで、開口幅を上方に向けて適正な開口幅に誘導しつつ、左右の第１切欠き縁に設けられた引き裂き案内線３に案内することができる。したがって、確実に左右の第１切欠き縁に設けられた引き裂き案内線３に引き裂き部２を案内することができるので、シート状食品７を破損させずに、おにぎり８に被せることが可能となる。
【００４９】
上述した包装材１は、２軸延伸ポリプロピレン（ＯＰＰフィルム）等の合成樹脂を使用する構成について説明したが、１軸延伸ポリプロピレン等の直線カット性を持たせた方向性フィルムを使用することができる。その場合、外フィルム１１の上縁１３の略中央に平行して設けられる切込み２２間が摘み部となり、その摘み部を引き裂く方向に引き裂くと、その切込み２２間の幅の長さが維持された状態にて、直線的に引き裂かれ、包装材１が分断される構成となる。したがって、包装材１に方向性フィルムを使用した場合、外フィルム１１の上縁１３の略中央から下縁１４の中央に亘る切れ込み間の幅に相当する部分が引き裂き部２となる点で異なるが、その他の構成は上述した構成と同様である。また、引き裂き案内線３を、左右の第１切欠き縁４１，５１は左右の第１切欠き縁４１，５１から設けると共に、左右の第２切欠き縁４２，５２は、左右の第２切欠き縁４２，５２から離間する位置から設けたり、引き裂き案内線３を、左右の第１切欠き縁４１，５１は左右の第１切欠き縁４１，５１から離間する位置から設けるいと共に、左右の第２切欠き縁４２，５２は、左右の第２切欠き縁４２，５２から設ける等、種々の組み合わせも可能である。
【００５０】
以上のとおり、図面を参照しながら本発明の好適な実施形態を説明したが、本発明の趣旨を逸脱しない範囲内で、種々の追加、変更又は削除が可能である。したがって、そのようなものも本発明の範囲内に含まれる。
【符号の説明】
【００５１】
１    おにぎり包装材
１１  外フィルム
１２  内フィルム
１３  上縁
１４  下縁
１５  左側縁
１６  右側縁
１７  ヒートシール
１８  収容部
Ｓ    側縁部
Ｓ１    右側縁部
Ｓ２    左側縁部
２    引き裂き部
２１  カットテープ
２２  切込み
２３  摘み片
３    引き裂き案内線
４    左切欠き部
４１  左第１切欠き縁
４２  左第２切欠き縁
５    右切欠き部
５１  右第１切欠き縁
５２  右第２切欠き縁
６    おにぎり包装体
７    シート状食品
８    おにぎり
９    接続部材
Ｌ１  第１幅方向長さ
Ｌ２  第２幅方向長さ
Ｗ    引き裂き部の幅
Ｄ    離間距離
【図１】
2015199539.tif 000003
【図２】
2015199539.tif 000004
【図３】
2015199539.tif 000005
【図４】
2015199539.tif 000006
【図５】
2015199539.tif 000007
【図６】
2015199539.tif 000008
【図７】
2015199539.tif 000009
【図８】
2015199539.tif 000010
【図９】
2015199539.tif 000011
【図１０】
2015199539.tif 000012
【図１１】
2015199539.tif 000013